(57)【要約】【課題】テレビが転倒しにくくかつラックから脱落しにくいテレビの転倒防止ラックを提供する。【解決手段】台座部１１と、台座部１１から上方に延びる脚部１２と、脚部１２の上方に設けられた表示部１３とを有するテレビ１０を載置するための天板２１を有するラック２０であり、天板２１の上面２２に設けられた、テレビの台座部１１が上方から収容される凹部２３と、テレビの脚部１２を避けながら、凹部２３に収容されたテレビの台座部１１を上方から覆うようにして台座部１１を凹部２３に埋め込む蓋体２４とを備えている。【選択図】図２
2014078817.tif 000002
【特許請求の範囲】
【請求項１】
台座部と、この台座部から上方に延びる脚部と、この脚部の上方に設けられた表示部とを有するテレビを載置するための天板を有するテレビラックであって、
前記天板の上面に設けられた、前記テレビの台座部が上方から収容される凹部と、
前記テレビの脚部を避けながら、前記凹部に収容されたテレビの台座部を上方から覆うようにして該台座部を前記凹部に埋め込む蓋体と、
を備えていることを特徴とするテレビの転倒防止ラック。
【発明の詳細な説明】
【技術分野】
【０００１】
本発明は、テレビの転倒防止ラック、すなわち、テレビの転倒防止機能を備えたラックに関するものである。
【背景技術】
【０００２】
従来、テレビの転倒防止ラックとして、例えば特許文献１の図５（または図６）に見られるようなシステムラックが知られている。
同文献の符号を借りて説明すると、このシステムラック（１１）は、天板（１２）のすぐ下に載置板（１３）を設け、
ラック背面に、薄型表示装置（テレビ）（１）の基座部（４）が天板（１２）と載置板（１３）との間の空間に出入りすることを許容する背面開口（１４）を設け、
天板（１２）に、薄型表示装置（１）の脚部（３）が干渉しないようにようにするための切り欠き（１５）を設け、
背面開口（１４）、切り欠き（１５）を利用して、薄型表示装置（１）の基座部（４）を載置板（１３）上に載置するとともに、基座部（４）が緩衝材（１７）と接触するように、薄型表示装置（１）をシステムラック（１１）に組み付けることで、重量のあるシステムラック（１１）で薄型表示装置（１）の基座部（４）を保持して、薄型表示装置（１）がパネル面の前方側もしくは背面側へ転倒することを防止できるようにしたものである。
【先行技術文献】
【特許文献】
【０００３】
【特許文献１】特開２００７−２７９２２７号公報
【発明の概要】
【発明が解決しようとする課題】
【０００４】
上述した従来のシステムラックは、背面開口（１４）および切り欠き（１５）を利用して、薄型表示装置（１）の基座部（４）をラック背面から前面側へスライドさせるようにして載置板（１３）上に載置するものである。そのため、載置後においても、薄型表示装置（１）の基座部（４）はラック背面側へスライドし得る。
したがって、薄型表示装置（テレビ）を前後方向へ移動させるような地震が発生した場合、薄型表示装置（テレビ）はラック背面側へスライドし（あるいは振動しながら移動し）、ラックから脱落してしまうおそれがある。
本発明が解決しようとする課題は、テレビが転倒しにくくかつラックから脱落しにくいテレビの転倒防止ラックを提供することである。
【課題を解決するための手段】
【０００５】
上記課題を解決するために本発明のテレビの転倒防止ラックは、
台座部と、この台座部から上方に延びる脚部と、この脚部の上方に設けられた表示部とを有するテレビを載置するための天板を有するテレビラックであって、
前記天板の上面に設けられた、前記テレビの台座部が上方から収容される凹部と、
前記テレビの脚部を避けながら、前記凹部に収容されたテレビの台座部を上方から覆うようにして該台座部を前記凹部に埋め込む蓋体と、
を備えていることを特徴とする。
このテレビの転倒防止ラックによれば、テレビの台座部が、前記凹部と蓋体とによってラックの天板に埋め込まれた状態となるので、テレビはラックで保持された状態となり、転倒しにくくなるだけでなく、ラックに対して移動しにくくなる。
すなわち、このテレビの転倒防止ラックによれば、テレビが転倒しにくくかつラックから脱落しにくくなる。
【図面の簡単な説明】
【０００６】
【図１】本発明に係るテレビの転倒防止ラックの一実施の形態を示す分解斜視図。
【図２】テレビの取付過程を示す斜視図。
【図３】テレビが取り付けられた状態の切断斜視図。
【図４】図３における４矢視図。
【発明を実施するための形態】
【０００７】
以下、本発明に係るテレビの転倒防止ラックの実施の形態について図面を参照して説明する。なお、各図において、同一部分ないし相当する部分には、同一の符号を付してある。
【０００８】
図１〜図４に示すように、このテレビの転倒防止ラック２０は、
台座部１１と、この台座部１１から上方に延びる脚部１２と、この脚部１２の上方に設けられた表示部１３とを有するテレビ１０を載置するための天板２１を有するテレビラックである。
【０００９】
このテレビの転倒防止ラック（以下単に転倒防止ラックまたはラックともいう）２０は、
前記天板２１の上面２２に設けられた、テレビの台座部１１が上方から収容される凹部２３と、
テレビの脚部１２を避けながら、前記凹部２３に収容されたテレビの台座部１１を上方から覆うようにして該台座部１１を前記凹部２３に埋め込む蓋体２４と、
を備えている。
【００１０】
主として図３，図４に示すように、この転倒防止ラック２０によれば、テレビ１０の台座部１１が、前記凹部２３と蓋体２４とによってラック２０の天板２１に埋め込まれた状態となるので、テレビ１０はラック２０で保持された状態となり、転倒しにくくなるだけでなく、ラック２０に対して移動しにくくなる。
すなわち、このテレビの転倒防止ラック２０によれば、テレビ１０が転倒しにくくかつラック２０から脱落しにくくなる。
【００１１】
図示のラック２０は、天板２１の他に底板２６および中板（棚板）２７，側板２８，および仕切り板２９を有しているが、ラック２０の全体構成は、テレビ１０の転倒を防止するに足る構成であれば、任意の形状、構造を採用し得る。
【００１２】
テレビ１０の台座部１１の形状は種々のものがあるから、凹部２３の大きさ、特に奥行き寸法Ｗ１（図１）は、天板２１の奥行き寸法Ｗ２に対して、可及的に大きくすることが望ましい。
【００１３】
蓋体２４を天板２１に固定する手段は任意であるが、図示のものは、ねじ（ボルト、ビスを含む）２４ｂを採用し、蓋体２４を天板２１に対して着脱可能に締結固定している。
【００１４】
図示の蓋体２４は、前後一対のもので構成され、それぞれにテレビ１０の脚部１２を逃がす切り欠き２４ｈが設けられている。
テレビ１０の脚部１２の形状は種々のものがあるから、蓋体２４は、切り欠き２４ｈの形状が異なる複数種のものを用意しておくことが望ましい。
【００１５】
ラック２０にテレビ１０を設置するには、図２に示すように、天板２１の凹部２３内にテレビの台座部１１を入れ、その台座部１１を上から覆うようにして蓋体２４，２４を天板２１上にねじ２４ｂ（図示のものは８個のビス）で締結固定する。
これによって、テレビ１０が転倒しにくくかつラック２０から脱落しにくくなる。
【００１６】
なお、例えば図４に示すように、テレビ１０の台座部１１と蓋体２４との間に隙間Ｃが生じる場合には、その隙間Ｃに図示しない緩衝部材（ゴムシート等）を介装させることができる。
【００１７】
以上、本発明の実施の形態について説明したが、本発明は上記の実施の形態に限定されるものではなく、本発明の要旨の範囲内において適宜変形実施可能である。
【符号の説明】
【００１８】
１０    テレビ
１１    台座部
１２    脚部
１３    表示部１３
２０    転倒防止ラック
２１    天板
２２    上面
２３    凹部
２４    蓋体
【図１】
2014078817.tif 000003
【図２】
2014078817.tif 000004
【図３】
2014078817.tif 000005
【図４】
2014078817.tif 000006